(57)【要約】【課題】  折り畳み式物干器の構造を有効に利用しながら、目隠しカバーを用いることなく簡単に洗濯物の目隠しを行うことのできる折り畳み式物干器を提供する。【解決手段】  一対の枠体１、１が、展開状態と両枠体の上面どうしが対向する折り畳み状態とに任意に変換しうるものとなされ、展開状態の枠体を物干竿等に吊り掛ける枠体吊り掛け部材11を備えた物干器Ａにおいて、一方の枠体１に、他方の枠体１に対する起立姿勢を保持する係止用フック７が設けられ、吊り掛け部材本体11に係止用凹部14が設けられ、係止用凹部14に係止用フック７が係止される。一方の枠体１の起立姿勢が保持されている。この一方の起立姿勢の枠体１に吊り下げた長尺物のバスマット、バスタオル等の大きな洗濯物を吊すことによって、他方の水平姿勢の枠体１に吊り下げたランジェリー等の洗濯物を隠すことのできる目隠し機能が発揮される。【選択図】  図１
2009153777.tif 000002
【特許請求の範囲】
【請求項１】
対向する端縁が回転自在に連結された一対の枠体を有し、
両枠体が枢支連結部を回転軸として回転されることにより、両枠体が面一となる展開状態と両枠体の上面どうしが対向する折り畳み状態とに任意に変換しうるものとなされ、前記展開状態の枠体を物干竿等に吊り掛ける枠体吊り掛け部材を備えた物干器において、
少なくとも一方の枠体又は枠体吊り掛け部材のいずれかに、一方の枠体の他方の枠体に対する起立姿勢を保持する起立姿勢保持手段が設けられていることを特徴とする折り畳み式物干器。
【請求項２】
前記起立姿勢保持手段が、枠体に設けられ、枠体吊り掛け部材又は該枠体吊り掛け部材が係止される物干竿等の被係止体に係止される係止部材であり、該係止部材が枠体吊り掛け部材又は被係止体に係止されることにより、一方の枠体の他方の枠体に対する起立姿勢が保持されるものとなされている請求項１に記載の折り畳み式物干器。
【請求項３】
前記係止部材は、フック状に形成されている請求項２に記載されている折り畳み式物干器。
【請求項４】
前記係止部材は、枠体連結部回転軸線と平行な枠部に設けられ、前記回転軸線に平行な回転軸部を備えると共に、該回転軸部が前記枠部内に保持されている請求項３に記載の折り畳み式物干器。
【請求項５】
前記枠体吊り掛け部材は、フック状係止部材が係止される係止用凹部を備えている請求項３または請求項４に記載の折り畳み式物干器。
【請求項６】
前記係止部材は、一対の枠体のそれぞれに設けられている請求項２ないし請求項５のいずれか１項に記載の折り畳み式物干器。
【発明の詳細な説明】
【技術分野】
【０００１】
この発明は、一対の枠体をその展開状態と折り畳み状態とに任意に変換可能な折り畳み式物干器、特に折り畳み状態において一対の枠体の上面どうしが対向するものとなされている折り畳み物干器に関する。
【背景技術】
【０００２】
一対の枠体をその展開状態と折り畳み状態とに任意に変換可能な折り畳み式物干器については、雨天時等に室内のドアやカーテンレールあるいは壁面に吊り掛けやすいようにしたものが種々提案されている。
【０００３】
中でも、折り畳み状態において一対の枠体の上面どうしが対向するものとなされている形式の折り畳み物干器については、室内の壁面に近い場所に吊り下げる場合に、壁側に位置される一方の枠体を垂直に回動させて起立姿勢とし、吊り掛け部材フック部に設けられた係止用孔を小さな釘等に引っ掛けて枠体の吊り下げ可能とし、水平状態の他方の枠体を使用するものとなされた物干器が公知である（特許文献１参照）。
【０００４】
一方、物干器が折り畳み式がどうかに関わりなく、女性のランジェリー等の人目に触れさせたくない洗濯物を人目から隠すために物干器に着脱自在に取り付けることのできる目隠しカバーが種々提案されている（特許文献２〜３参照）。
【特許文献１】実用新案登録第２６０５９３７号公報
【特許文献２】特開平９−２５３３９０号公報
【特許文献３】特開２００３−１５４１９７号公報
【発明の開示】
【発明が解決しようとする課題】
【０００５】
前記目隠しカバーは、折り畳み式物干器であっても物干器全体を覆うようなものであるから、物干しを終えた後は、物干器から取り外さないと物干器を二つ折りのコンパクトな折り畳み状態が得られない。
【０００６】
また、目隠しカバーは、いかにも人目に晒したくないような女性のランジェリー等が吊り下げられていることをかえってわかりやすくするおそれもある。
【課題を解決するための手段】
【０００７】
この発明は、かかる技術的背景に鑑みてなされたもので、折り畳み式物干器の構造を有効に利用しながら、目隠しカバーを用いることなく簡単に洗濯物の目隠しを行うことのできる折り畳み式物干器を提供することを目的とする。
【０００８】
而して、この発明の折り畳み式物干器は、下記［１］〜［６］の構成を有する。
【０００９】
［１］  対向する端縁が回転自在に連結された一対の枠体を有し、
両枠体が枢支連結部を回転軸として回転されることにより、両枠体が面一となる展開状態と両枠体の上面どうしが対向する折り畳み状態とに任意に変換しうるものとなされ、前記展開状態の枠体を物干竿等に吊り掛ける枠体吊り掛け部材を備えた物干器において、
少なくとも一方の枠体又は枠体吊り掛け部材のいずれかに、一方の枠体の他方の枠体に対する起立姿勢を保持するための起立姿勢保持手段が設けられていることを特徴とする折り畳み式物干器。
【００１０】
［２］  前記起立姿勢保持手段が、枠体に設けられ、枠体吊り掛け部材又は該枠体吊り掛け部材が係止される物干竿等の被係止体に係止される係止部材であり、該係止部材が枠体吊り掛け部材又は被係止体に係止されることにより、一方の枠体の他方の枠体に対する起立姿勢が保持されるものとなされている前項１に記載の折り畳み式物干器。
【００１１】
［３］  前記係止部材は、フック状に形成されている前項２に記載されている折り畳み式物干器。
【００１２】
［４］  前記係止部材は、枠体連結部回転軸線と平行な枠部に設けられ、前記回転軸線に平行な回転軸部を備えると共に、該回転軸部が前記枠部内に保持されている前項３に記載の折り畳み式物干器。
【００１３】
［５］  前記枠体吊り掛け部材は、フック状係止部材が係止される係止用凹部を備えている請求項３または請求項４に記載の折り畳み式物干器。
【００１４】
［６］  前記係止部材は、一対の枠体のそれぞれに設けられている前項２ないし項５のいずれか１項に記載の折り畳み式物干器。
【発明の効果】
【００１５】
［１］の発明にかかる折り畳み式物干器では、少なくとも一方の枠体又は枠体吊り掛け部材のいずれかに、一方の枠体の他方の枠体に対する起立姿勢を保持する起立姿勢保持手段が設けられているので、起立姿勢保持手段を機能させることにより、起立姿勢にある枠体が対面する壁面がない場合にも一方の枠体の起立姿勢が確実に保持された状態で、物干竿等に吊り掛けることができる。
【００１６】
従って、一方の枠体を起立姿勢として室外の物干竿等に物干器を吊り掛け、起立姿勢にある枠体にバスマット、バスタオル等の比較的大きな洗濯物を吊り下げることにより他方の枠体に吊り下げたランジェリー等の洗濯物の目隠しを行うことができる。
【００１７】
［２］の発明にかかる折り畳み式物干器では、前記起立姿勢保持手段が、枠体に設けられた係止部材であるから、展開状態の物干器を物干竿等に吊り掛ける際に、吊り掛け部材の操作に係止部材が邪魔になることがないので、吊り掛け操作上有利である。
【００１８】
また、この場合、前記係止部材が、吊り掛け部材に係止されるものとなされるときは、係止部材を可及的短小なものとすることができる。
【００１９】
更にまた、前記係止部材が、物干竿等の被係止体に係止されるものとなされるときは、係止部材を可及的大なものとして、より確実に起立姿勢を保持しうる。
【００２０】
［３］の発明にかかる折り畳み式物干器では、前記係止部材が、フック状に形成されているので、枠体吊り掛け部材又は該枠体吊り掛け部材が係止される物干竿等の被係止体に係止しやすい。
【００２１】
［４］の発明にかかる折り畳み式物干器では、前記係止部材は、枠体連結部回転軸線と平行な枠部に設けられ、前記回転軸線に平行な回転軸部を備えると共に、該回転軸部が前記枠部内に保持されているので、係止部材を枠体と面一な状態とすることができ、折り畳み時に邪魔にならない係止部材となしうる。
【００２２】
［５］の発明にかかる折り畳み式物干器では、前記吊り掛け部材が、フック状係止部材が係止される係止用凹部を備えているので、係止部材の吊り掛け部材に対する係止を確実なものとなしうる。
【００２３】
［６］の発明にかかる折り畳み式物干器では、前記係止部材が、前記枠体のそれぞれに装備されているので、一対の枠体のいずれでも選択的に起立姿勢に転換保持することができ便利である。
【発明を実施するための最良の形態】
【００２４】
以下、この発明に係る折り畳み式物干器の実施形態を、図面を参照して具体的に説明する。図１は、全体斜視図、図２は、一方の枠体を起立姿勢にして物干し竿に吊り掛けられた使用状態の斜視図、図３は、一方の枠体を起立姿勢にしてドアに吊り掛けられた使用状態の斜視図である。
【００２５】
なお、以下の説明においては、この発明を理解しやすくするために、特に断りがない限り、原則として図１に示す折り畳み式物干器（Ａ）の長さ方向を「左右方向」、幅方向を「前後方向」として説明する。
【００２６】
また、左右一対の枠体は、左右対称の同型同大のものであるので、各部の名称、符号については同一の符号を用いて説明する。
【００２７】
この実施形態の折り畳み式物干器（Ａ）は、左右一対の枠体（１）（１）と、各枠体（１）の端部に設けられ枠体（１）（１）をその上面どうしが対向するように上方へ折り畳み可能に枢支する前後一対の枢支連結部（１０）（１０）と、枠体（１）（１）を物干し竿等に吊り掛ける吊り掛け部材（１１）と、該吊り掛け部材（１１）と枠体（１）（１）とを連結するチェーン部材（２１）とを備えている。
【００２８】
枠体（１）は、平面視コ字状の主枠を構成する前後一対の平行状の第１枠部（２）（  ２）と該両第１枠部（２）（２）の端部に連なる第２枠部（３）と、前記一対の第１枠部（２）（２）を枢支連結部（１０）（１０）寄りの位置において連結する横桟部（４）と、該横桟部（４）と第２枠部（３）に連なる一対の斜め桟部（５）（５）とから構成されている。
【００２９】
第１枠部（２）（２）、第２枠部（３）、横桟部（４）及び斜め桟部（５）の各々には、ピンチ吊り下げ部材（１９）（１９）…を介して複数のピンチ（９）（９）…が吊り下げられている。
【００３０】
枠体（１）は、合成樹脂から一体成形され、図４に示すように、下向きに開口した断面コ字状に形成されている。
【００３１】
枠体（１）と枠体（１）とを枢支連結する枢支連結部（１０）（１０）は、図１に示す展開状態において、両枠体の端縁突き合わせ部（図示省略）が当接することにより枠体（１）（１）の下方への回転が阻止されるようになされている。その構造は従来周知のものであるので詳細な説明は省略する。
【００３２】
枠体（１）の第２枠部（３）は、その長さ方向中央部に凹部（６）が設けられ、該凹部（６）に、吊り掛け部材（１１）に係止する起立姿勢保持手段であり係止部材である係止用フック（７）が第２枠部（３）の前後方向を回転軸線として回転自在に設けられている。
【００３３】
係止用フック（７）は、図３に示すように、第２枠部（３）に支承される回転軸部（７ａ）と、該回転軸部端部から延設されたフック主体部（７ｂ）とからなり、回転軸部両端の突部（７ｃ）（７ｃ）が枠体凹部（６）の前後一対の軸受け部（８）（８）に嵌合されることにより回転自在となされている。
【００３４】
軸受け部（８）（８）は、図４に示すように下向きに開口し、下端開口が上部より狭幅の切欠部（８ａ）を有している。該切欠部（８ａ）は、その上部が前記係止用フックの回転軸部先端突部の外径より径大に形成される一方、下端開口が回転軸部先端突部外径より僅かに径小に形成されているので、該切欠部（８ａ）に嵌合された回転軸部先端突部（７ｃ）（７ｃ）は、該切欠部（８ａ）から抜け難く、回転軸部（７ａ）のスムーズな回転が実現される。
【００３５】
枠体（１）の第２枠部（３）は、枠体連結部回転軸線と平行に設定されているので、係止用フック（７）を枠体（１）と面一の状態とすることができ、枠体（１）（１）の折り畳み時に、係止用フック（７）が邪魔になることがない。
【００３６】
前記枠体凹部（６）の内側には、軸受け部（８）（８）を連結する左右一対の補強部（８ｂ）（８ｂ）が下向きに突設されている。
【００３７】
また、枠体凹部（６）内の長さ方向両側には、図３に示すように、係止用フック（７）が当接する係止用フック受け面（６ａ）が設けられており、係止用フック（７）が該係止用フック受け面（６ａ）に当接することにより、係止用フック（７）の水平状態を超える回転が規制されるものとなされている。
【００３８】
この枠体（１）（１）は、枠体（１）のコーナーに取り付けられた４本のチェーン部材（２１）（２１）（２１）（２１）、横桟部（４）（４）の中間部に取り付けられた２本の副チェーン部材（２２）（２２）及びこれらのチェーン部材の上端が集合状に連結された吊り掛け部材（１１）を介して、物干し竿（Ｍ）やドアー（Ｄ）に吊り掛けられるものである。
【００３９】
前記吊り掛け部材（１１）は、上端がフック状に形成された吊り掛け部材本体（１２）と、該吊り掛け部材本体（１２）と対をなし吊り掛け部材本体（１２）の開口を開閉する開閉部（１３）と、吊り掛け部材本体（１２）とチェーン部材（２１）（２２）とを連結する連結基体（１５）とからなり、吊り掛け部材本体（１２）と開閉部（１３）とは、常時は付勢手段（図示省略）により閉じ合わせ方向に付勢されており、開閉部（１３）に連設された操作部（１３ａ）を操作することにより開閉自在となされている。
【００４０】
吊り掛け部材本体（１２）は、内側に係止用フック（７）が係止されやすくするための係止用凹部（１４）が設けられる一方、その背面側には、鉤部（１７）が突設されている。
【００４１】
この鉤部（１７）は、図５に示すように、その先端をドア（Ｄ）や鴨居の上端に引っ掛けたり、それ自体を物干竿や洗濯ロープ等に吊り掛けたりすることができる形状に形成されている。
【００４２】
また、吊り掛け部材本体（１２）は、下端部が連結基体（１５）にその上下方向の軸心回りに回転自在に連結されている。この連結構造は周知の構造であるので詳細な説明を省略する。
【００４３】
前記４本のチェーン部材（２１）（２１）（２１）（２１）は、一端を前記連結基体（１５）に連結され、他端を各枠体（１）（１）の隅部に連結されている。このチェーン部材（２１）（２１）（２１）（２１）の長さは、一方の枠体（１）を後述するような起立姿勢としたときに、吊り掛け部材本体（１２）のフック状上端部が枠体（１）よりも上方に突出する位置にあるものと設定されている。
【００４４】
この連結基体（１５）には、枠体横桟部（４）（４）に連結された副チェーン部材（２２）（２２）が連結されている。この副チェーン部材（２２）は、図２及び図５に示す使用状態において、水平状態にある枠体（１）の下方への回転を規制する作用を果たす。
【００４５】
上記構成を有する折り畳み式物干器（Ａ）は、図１に示すような展開状態にして吊り掛け部材（１１）を物干し竿（Ｍ）に吊り掛けて使用され、不使用時は、図１に示す展開状態から左右両枠体（１）（１）を上方に跳ね上げるようにして、枠体（１）（１）の上面どうしが対向するように折り畳み、このような折り畳み状態で保管、輸送されるものである。
【００４６】
而して、晴天時等においては、一対の枠体（１）（１）を展開状態にして室外の物干竿に吊り掛け、ピンチ（９）（９）…に洗濯物を吊り下げて干すのが通常の使い方であるが、次に一方の枠体（１）を他方の枠体（１）に対して起立姿勢とした状態で物干竿等に吊り掛けて使用する例を説明する。
【００４７】
図２は、この物干器（Ａ）が、一方の枠体（１）を他方の枠体（１）に対して起立姿勢にある状態で物干竿（Ｍ）に吊り掛けられた使用例を示すものである。
【００４８】
この使用例とするためには、先ず、図１に示す展開状態の物干器（Ａ）の吊り掛け部材（１１）を物干竿（Ｍ）に吊り掛ける。
【００４９】
その後、一方の枠体（１）を他方の枠体（１）に対して起立姿勢を取らせた後、起立姿勢にある枠体（１）の第２枠部（３）に設けられた係止用フック（７）を吊り掛け部材本体（１２）の係止用凹部（１４）の位置に引っ掛けて係止させる。
【００５０】
この係止により、起立姿勢にある枠体（１）の水平状態への復帰方向の回転が阻止されるので、その起立姿勢が保持される。
【００５１】
この状態で、水平状態にある他方の枠体（１）にランジェリー等の洗濯物（Ｌ）を吊り下げる一方、起立姿勢にある一方の枠体（１）にバスマットやバスタオル等の比較的大きな洗濯物（Ｓ）を吊り下げることにより、その正面からは前記ランジェリー等の洗濯物（Ｌ）を隠すことができ、目隠し機能が発揮されるのである。
【００５２】
また、起立姿勢にある一方の枠体（１）は、ピンチ（９）が他方の枠体（１）のピンチ（１）より高い位置にあることになるので、物干器が水平展開状態であれば地面に触れるおそれのあるような長さのある洗濯物であっても、余裕をもって吊り下げることができる。
【００５３】
雨天時等においては、図５に示すように、一方の枠体（１）を他方の枠体（１）に対して起立姿勢を取らせた状態で、ドアー（Ｄ）や鴨居に物干器（Ａ）を吊り掛けたり、窓際のカーテンレールに物干器（Ａ）を吊り掛けることができる。
【００５４】
このような吊り掛け状態においても、他方の枠体（１）の水平状態が確保されるので、ピンチ（９）に吊り下げられた洗濯物の相互の干渉を最小限にし、良好な物干機能が得られる。
【００５５】
このような使い方の場合、起立姿勢にある一方の枠体（１）は、ドア（Ｄ）や窓あるいは室内壁面に凭れかかることになるので、前記物干竿（Ｍ）に吊り掛けた場合のように、係止用フック（７）をあえて吊り掛け部材本体（１２）に係止しておく必要はない。
【００５６】
なお、上記実施形態においては、係止用フック（７）が吊り掛け部材本体（１２）の係止用凹部（１４）に係止されるように設定されているが、吊り掛け部材（１１）が係止される物干竿等の被係止体に直接係止されるようなものとしても良い。
【００５７】
係止フック（７）部材は、一対の両枠体（１）（１）のそれぞれに設けられ、いずれの枠体（１）（１）でも選択的に起立姿勢に保持されるものとなされているが、各枠体（１）（１）に前後一対ずつ設け、物干竿等の被係止体の２箇所に係止して、物干器の水平回りの不本意な回転を防止し、目隠し機能をより一層確実にっ達成できるものとしても良い。
【００５８】
また、上記実施形態においては、物干竿への吊り掛け時に、吊り掛け部材（１２）上端部が起立姿勢にある枠体（１）よりも上方に位置しているが、枠体（１）が吊り掛け部材（１２）上端部より上方に位置するものと設定されていても良い。このような場合、より一層長尺の洗濯物を干せるという利点がある。
【図面の簡単な説明】
【００５９】
【図１】この発明にかかる折り畳み式物干器の一実施形態の全体斜視図である。
【図２】同実施形態の一方の枠体を起立姿勢として物干竿に吊り掛けた使用状態の斜視図である。
【図３】同実施形態の係止部材周辺の要部水平断面図である。
【図４】図３のＩＶ−ＩＶ線断面図である。
【図５】同実施形態の一方の枠体を起立姿勢としてドアーに吊り掛けた状態の側面図である。
【符号の説明】
【００６０】
Ａ・・・・・・・折り畳み式物干器
１・・・・・・・枠体
２・・・・・・・第１枠部
３・・・・・・・第２枠部
７・・・・・・・係止用フック（起立姿勢保持手段）
１０・・・・・・枢支連結部
１１・・・・・・枠体吊り掛け部材
１４・・・・・・係止凹部
【図１】
2009153777.tif 000003
【図２】
2009153777.tif 000004
【図３】
2009153777.tif 000005
【図４】
2009153777.tif 000006
【図５】
2009153777.tif 000007